(57)【要約】【課題】使用場所を問わず大画面表示が可能な通信機器を提供する。【解決手段】プロジェクタ部１１と、プロジェクタ部１１によって生成された投射像が投射される投射面２４とを備え、収納状態と展開状態とをとることができる展開部２２及び２３を有し、展開状態であるときの展開部２２及び２３が投射面２４の一部を構成し、収納状態であるときの展開部２２及び２３によって画面が覆われることがない液晶表示装置２９を有し、液晶表示装置２９は投射面２４の一部を構成する場合に全面白色表示を行うことを特徴とする通信機器。【選択図】図８
2008061152.tif 000002
【特許請求の範囲】
【請求項１】
プロジェクタ部と、前記プロジェクタ部によって生成された投射像が投射される投射面とを備えることを特徴とする通信機器。
【請求項２】
収納状態と展開状態とをとることができる展開部を有し、展開状態であるときの前記展開部が前記投射面の一部を構成する請求項１に記載の通信機器。
【請求項３】
収納状態であるときの前記展開部によって画面が覆われることがない液晶表示装置を有し、前記液晶表示装置は前記投射面の一部を構成する場合に全面白色表示を行う請求項２に記載の通信機器。
【発明の詳細な説明】
【技術分野】
【０００１】
本発明は、携帯電話機や通信機能を有するＰＤＡ（Personal Digital Assistant）等の通信機器に関する。
【背景技術】
【０００２】
携帯電話機や通信機能を有するＰＤＡ（Personal Digital Assistant）等の通信機器は、通常液晶表示装置を搭載しており、通信に必要な情報（例えば、通信相手の電話番号等）を液晶表示装置の画面に表示する。
【０００３】
近年、通信機器の多機能化が進み、ＴＶ視聴やカメラ撮影等が可能な通信機器が市場に出回っており、このような通信機器に対しては大画面表示の要望が高くなっている。かかる要望を満足させることができる通信機器として、特許文献１や特許文献２に開示されているプロジェクタ装置を備える通信機器が挙げられる。
【特許文献１】特開２０００−５０３６０号公報
【特許文献２】特開２００６−９１１０９号公報
【発明の開示】
【発明が解決しようとする課題】
【０００４】
しかしながら、特許文献１や特許文献２に開示されているプロジェクタ装置を備える通信機器は、外部の投射面（白い壁や投影スクリーン等）が必要であり、外部の投射面が無い場所では大画面表示が行えなかった。
【０００５】
本発明は、上記の状況に鑑み、使用場所を問わず大画面表示が可能な通信機器を提供することを目的とする。
【課題を解決するための手段】
【０００６】
上記目的を達成するために本発明に係る通信機器は、プロジェクタ部と、前記プロジェクタ部によって生成された投射像が投射される投射面とを備える構成としている。
【０００７】
このような構成によると、投射面を備えているため、外部の投射面が不要となり、使用場所を問わず大画面表示が可能になる。
【０００８】
また、上記構成の通信機器において、収納状態と展開状態とをとることができる展開部を有し、展開状態であるときの前記展開部が前記投射面の一部を構成するようにしてもよい。
【０００９】
このような構成によると、通信機器の外形サイズ（展開部が収納状態であるときの外形サイズ）を大きくすることなく、投射面のサイズの大型化を図ることができる。さらに、収納状態であるときの前記展開部によって画面が覆われることがない液晶表示装置を有し、前記液晶表示装置は前記投射面の一部を構成する場合に全面白色表示を行うようにしてもよい。これにより、大画面表示が不要な場合には、液晶表示装置による表示が可能であるため、展開部を展開状態にする必要がなくなる。
【発明の効果】
【００１０】
本発明に係る通信機器によると、投射面を備えているので、外部の投射面が不要となり、使用場所を問わず大画面表示が可能となる。
【発明を実施するための最良の形態】
【００１１】
本発明の実施形態について図面を参照して以下に説明する。本発明に係る通信機器として、ここでは、折り畳み構造の携帯電話機を例に挙げて説明する。
【００１２】
まず、本発明の第一実施形態について説明する。本発明の第一実施形態に係る携帯電話機は、液晶表示装置を備えていない構成である。本発明の第一実施形態に係る携帯電話機の概略回路ブロック図を図１に示す。
【００１３】
アンテナ１が無線部２を介してＣＰＵ（Central Processor Unit）３に接続される。また、アンテナ４がテレビ放送受信部５を介してＣＰＵ３に接続される。さらに、キー入力部６、スピーカ７、マイク８、メモリ９、カメラ部１０、及びプロジェクタ部１１がＣＰＵ３に接続される。
【００１４】
ＣＰＵ３は、メモリ９に格納されているプログラムに従い、携帯電話機全体を複合的に制御する。
【００１５】
無線部２は間欠受信を行い、ＣＰＵ３は無線部２の受信結果に基づいて着信の有無を確認し、着信が有る場合にはスピーカ７に着信音を出力させる。発着呼によりオフフック状態にある場合、ＣＰＵ３は、無線部２で復調された音声データをスピーカ７に送り、マイク８から出力される音声データを無線部２に送り無線部２に変調させる。
【００１６】
ＣＰＵ３は、通常、アンテナ受信状況、充電池の残量、時刻等を表示するための投射像をプロジェクタ部１１に生成させる。また、ＣＰＵ３は、発呼の際にはキー入力部６からの入力データに基づいて、通信相手の電話番号等を表示するための投射像をプロジェクタ部１１に生成させ、着呼の際には無線部６が検出した発信者情報に基づいて、通信相手の電話番号等を表示するための投射像をプロジェクタ部１１に生成させる。
【００１７】
プロジェクタ部１１の一構成例としては、図２に示すように、白色ＬＥＤ１２、液晶パネル１３、投影レンズ１４、ＬＥＤ駆動部１５、液晶駆動部１６、及びレンズ駆動部１７を備える構成が挙げられる。ＬＥＤ駆動部１５はＣＰＵ３（図１を参照）からの制御信号に応じて白色ＬＥＤ１２に電流を供給し、白色ＬＥＤ１２を発光させる。液晶駆動部１６はＣＰＵ３から送られてくる画像データに応じて液晶パネル１３を駆動し、液晶パネル１３に画像を表示させる。液晶パネル１３に白色ＬＥＤ１２の白色光を通過させることにより、液晶パネル１３に表示された画像の光像が生成される。レンズ駆動部１７はＣＰＵ３から送られてくる制御信号に応じて投影レンズ１４を光軸方向に進退駆動させる。投影レンズ１４は、前記光像を投射面へ向けて投射する。
【００１８】
本発明の第一実施形態に係る携帯電話機は、電話機能以外にカメラ機能及びテレビ視聴機能を有している。カメラ撮影動作が実行される場合、ＣＰＵ３がカメラ部１０及びメモリ９を制御する。この制御により、カメラ部１０の撮影動作によって得られた画像データが、メモリ９に記憶される。また、ＣＰＵ３がメモリ９及びプロジェクタ部１１を制御することにより、プロジェクタ部１１がメモリ９に記憶された画像データに基づく画像を表示するための投射像を生成することも可能である。テレビ視聴動作が実行される場合、ＣＰＵ３がテレビ放送受信部５、プロジェクタ部１１、及びスピーカ７を制御する。この制御により、アンテナ４はテレビ放送電波を高周波信号に変換してテレビ放送受信部５に送出し、テレビ放送受信部５は前記高周波信号から映像信号及び音声信号を得、プロジェクタ部１１は前記映像信号に基づく画像を表示するための投射像を生成し、スピーカ７は前記音声信号に基づく音声を出力する。
【００１９】
プロジェクタ部１１によって生成された投射像は、携帯電話機自身の投射面に投射される。ここで、本発明の第一実施形態に係る携帯電話機の投射面が展開されていない状態での外観斜視図を図３に示す。なお、図３においては投射面の展開部に関する図示を省略している。また、図３において図１と同一の部分には同一の符号を付す。
【００２０】
本発明の第一実施形態に係る携帯電話機は、上部筐体１８と下部筐体１９とがヒンジ２０によって折りたたみ可能な構造である。プロジェクタ部１１は、回転軸Ｘ−Ｘを軸に回動する回動部２１に搭載されており、投射方向の調整が可能となっている。上部筐体１８の前面１８Ａは白色であり、投射面の一部をなす。
【００２１】
投射面の展開部の構造例としては、例えば図４に示すような構成が挙げられる。図４（ａ）は展開部２２及び２３を上部筐体の背面１８Ｂ側に収納している状態を示す上面図であり、図４（ｂ）は展開部２２及び２３を上部筐体の前面１８Ａ側に展開している状態を示す上面図であり、図４（ｃ）は展開部２２及び２３を上部筐体の前面１８Ａ側に展開している状態を示す部分斜視図である。展開部２２及び２３の前面は白色であり、上部筐体１８の前面１８Ａの一部とともに、投射面２４を構成している。
【００２２】
投射面の展開部の他の構造例としては、例えば図５に示すような構成が挙げられる。図５（ａ）はバネ２７及び２８が縮んで展開部２５及び２６が上部筐体１８の内部に収納された位置でロックされている状態を示す断面図であり、図５（ｂ）は展開部２５及び２６のロックが解除されてバネ２７及び２８が自然長になり展開部２５及び２６が上部筐体１８の外部に展開している状態を示す断面図である。展開部２５及び２６の前面は白色であり、上部筐体１８の前面１８Ａの一部とともに、投射面を構成している。
【００２３】
本発明の第一実施形態に係る携帯電話機では、投射面の展開部を展開することによって、使用場所を問わずにテレビ受信画像やカメラ撮影画像などを大画面で見ることができる。しかしながら、発着呼の際の電話番号表示などは大画面で見る必要性に乏しく、投射面の展開部を展開することが煩わしい。
【００２４】
そこで、本発明の第二実施形態では画面の使い分けが可能な構成とする。以下、本発明の第二実施形態について説明する。本発明の第二実施形態に係る携帯電話機は、液晶表示装置を備えている構成である。本発明の第二実施形態に係る携帯電話機の概略回路ブロック図を図６に示す。なお、図６において図１と同一の部分には同一の符号を付す。
【００２５】
本発明の第二実施形態に係る携帯電話機は、本発明の第一実施形態に係る携帯電話機と異なり、液晶表示装置２９を備えている。そして、本発明の第二実施形態に係る携帯電話機では、ＣＰＵ３は、通常、アンテナ受信状況、充電池の残量、時刻等を液晶表示装置２９に表示させる。また、ＣＰＵ３は、発呼の際にはキー入力部６からの入力データに基づいて、通信相手の電話番号等を液晶表示装置２９に表示させ、着呼の際には無線部６が検出した発信者情報に基づいて、通信相手の電話番号等を液晶表示装置２９に表示させる。さらに、ＣＰＵ３は、プロジェクタ部１１に投射像を生成させているときに、液晶表示装置２９に全面白色表示をさせる。その他の動作及びプロジェクタ部１１の構成例については、第一実施形態と同様であるので、説明を省略する。
【００２６】
ここで、本発明の第二実施形態に係る携帯電話機の投射面が展開されていない状態での外観斜視図を図７に示す。なお、図７においては投射面の展開部に関する図示を省略している。また、図７において図６と同一の部分には同一の符号を付す。
【００２７】
本発明の第二実施形態に係る携帯電話機は、上部筐体１８と下部筐体１９とがヒンジ２０によって折りたたみ可能な構造である。プロジェクタ部１１は、回転軸Ｘ−Ｘを軸に回動する回動部２１に搭載されており、投射方向の調整が可能となっている。上部筐体１８の前面１８Ａは白色であり、投射面の一部をなす。また、上部筐体１８の前面１８Ａには、液晶表示装置２９が配置されている。
【００２８】
投射面の展開部の構造例としては、例えば図８に示すような構成が挙げられる。図８（ａ）は展開部２２及び２３を上部筐体の背面１８Ｂ側に収納している状態を示す上面図であり、図８（ｂ）は展開部２２及び２３を上部筐体の前面１８Ａ側に展開している状態を示す上面図であり、図８（ｃ）は展開部２２及び２３を上部筐体の前面１８Ａ側に展開している状態を示す部分斜視図である。展開部２２及び２３の前面は白色であり、上部筐体１８の前面１８Ａの一部及び液晶表示装置２９とともに、投射面２４を構成している。
【００２９】
投射面の展開部の他の構造例としては、例えば図９に示すような構成が挙げられる。図９（ａ）はバネ２７及び２８が縮んで展開部２５及び２６が上部筐体１８の内部に収納された位置でロックされている状態を示す断面図であり、図９（ｂ）は展開部２５及び２６のロックが解除されてバネ２７及び２８が自然長になり展開部２５及び２６が上部筐体１８の外部に展開している状態を示す断面図である。展開部２５及び２６の前面は白色であり、上部筐体１８の前面１８Ａの一部及び液晶表示装置２９とともに、投射面を構成している。
【００３０】
本発明の第二実施形態に係る携帯電話機では、投射面の展開部を展開することによって、使用場所を問わずにテレビ受信画像やカメラ撮影画像などを大画面で見ることができる。また、本発明の第二実施形態に係る携帯電話機では、発着呼の際の電話番号表示などは液晶表示装置で行い、投射面の展開部の展開を不要とすることができる。
【図面の簡単な説明】
【００３１】
【図１】は、本発明の第一実施形態に係る携帯電話機の概略回路ブロック図である。
【図２】は、プロジェクタ部の一構成例を示す図である。
【図３】は、本発明の第一実施形態に係る携帯電話機の投射面が展開されていない状態での外観斜視図である。
【図４】は、本発明の第一実施形態に係る携帯電話機における投射面の展開部の構造例を示す図である。
【図５】は、本発明の第一実施形態に係る携帯電話機における投射面の展開部の他の構造例を示す図である。
【図６】は、本発明の第二実施形態に係る携帯電話機の概略回路ブロック図である。
【図７】は、本発明の第二実施形態に係る携帯電話機の投射面が展開されていない状態での外観斜視図である。
【図８】は、本発明の第二実施形態に係る携帯電話機における投射面の展開部の構造例を示す図である。
【図９】は、本発明の第二実施形態に係る携帯電話機における投射面の展開部の他の構造例を示す図である。
【符号の説明】
【００３２】
１    アンテナ
２    無線部
３    ＣＰＵ
４    アンテナ
５    テレビ放送受信部
６    キー入力部
７    スピーカ
８    マイク
９    メモリ
１０    カメラ部
１１    プロジェクタ部
１２    白色ＬＥＤ
１３    液晶パネル
１４    投影レンズ
１５    ＬＥＤ駆動部
１６    液晶駆動部
１７    レンズ駆動部
１８    上部筐体
１８Ａ    上部筐体の前面
１８Ｂ    上部筐体の背面
１９    下部筐体
２０    ヒンジ
２１    回動部
２２、２３    展開部
２４    投射面
２５、２６    展開部
２７、２８    バネ
２９    液晶表示装置
【図１】
2008061152.tif 000003
【図２】
2008061152.tif 000004
【図３】
2008061152.tif 000005
【図４】
2008061152.tif 000006
【図５】
2008061152.tif 000007
【図６】
2008061152.tif 000008
【図７】
2008061152.tif 000009
【図８】
2008061152.tif 000010
【図９】
2008061152.tif 000011